(57)【要約】      （修正有）【課題】安価で、かつ、空調装置の運転状態に応じて自動で視聴時の音量を調整することが可能なテレビジョン受信機を提供する。【解決手段】テレビジョン受信機２は、エアコンと通信可能なテレビジョン受信機であり、エアコンの運転状態を示す運転情報を受信する受信部１９と、受信した運転情報に示されるエアコンの運転状態に応じて、視聴時の音量を制御する制御部であるＣＰＵ１５とを備えている。【選択図】図２
2015179921.tif 000002
【特許請求の範囲】
【請求項１】
空調装置と通信可能なテレビジョン受信機であって、
前記空調装置の運転状態を示す運転情報を受信する受信部と、
前記受信部が受信した前記運転情報に示される前記空調装置の運転状態に応じて、視聴時の音量を制御する制御部と、
を備える、テレビジョン受信機。
【請求項２】
前記空調装置の運転状態とは、当該空調装置の送風強度である、請求項１記載のテレビジョン受信機。
【請求項３】
前記空調装置の運転状態とは、当該空調装置の消費電力である、請求項１記載のテレビジョン受信機。
【請求項４】
前記空調装置と前記テレビジョン受信機との通信は、インターネット回線が使用される、請求項１から３のいずれか１つに記載のテレビジョン受信機。
【請求項５】
前記空調装置と前記テレビジョン受信機との通信は、無線が使用される、請求項１から３のいずれか１つに記載のテレビジョン受信機。
【請求項６】
前記無線はＢｌｕｅｔｏｏｔｈ（登録商標）である、請求項５記載のテレビジョン受信機。
【請求項７】
前記空調装置の運転状態と、前記視聴時の音量を調整するための音量調整値とを対応付けた対応表を記憶する記憶部をさらに備え、
前記対応表は変更可能に記憶される、請求項１から６のいずれか１つに記載のテレビジョン受信機。
【発明の詳細な説明】
【技術分野】
【０００１】
本発明は、音量を自動的に調整することが可能なテレビジョン受信機に関し、特に室内の空調装置の騒音に対して効果的に調整することが可能なテレビジョン受信機に関するものである。
【背景技術】
【０００２】
テレビジョン受信機は通常、家庭の室内で視聴することが一般的であるが、家庭内で視聴する場合に周囲の騒音によって視聴している放送番組などの音声が聞こえにくいことがある。室内でもっとも騒音の原因となる空調装置（以下「エアコン」という）の音は、真夏または真冬のように冷房または暖房運転を比較的強くする季節においては一定の大きさの運転音が連続的に続くような騒音となりうる。
【０００３】
エアコンの運転中においては、運転開始時は室温と目標設定温度の差が大きいため動作音が大きくなるが、目標設定温度にある程度近づくと動作音が小さくなる。このため、視聴者は最初、テレビジョン受信機の音量を大きくして視聴していても、しばらくして目標設定温度に近づくとテレビジョン受信機の音量が逆に大きすぎると感じて音量を下げる必要があった。また、人の出入りなどで室温が一時的に変化した場合も運転開始時のように温度差が大きくなって再び運転状態が高くなり、音量を上げないと音声が聞こえにくい状況になることがあった。
【０００４】
このような室内の騒音に対して、騒音のレベルを検出して一定のレベルを超えた場合に、テレビジョン受信機の音量を制御する技術が提案されている。例えば特許文献１では、リモコンにユーザを検出するセンサと、リモコン周囲の音を検出する周囲音センサと、リモコンとテレビジョン受信機との距離を検出する赤外線センサとを備える音量調整システムが開示されている。この音量調整システムは、リモコンから送信される前記の情報とテレビジョン受信機に搭載された周囲音センサの情報とを元に出力すべき音量を計算し音量を調整する機能を備えている。
【０００５】
またテレビジョン受信機の音量を制御するのではなく、騒音（ノイズ）を打ち消すような抑制音を生成してテレビジョン受信機から出力することで、ノイズキャンセル効果を持たせる技術が提案されている。例えば特許文献２では、テレビジョン受信機周辺の音を集音するマイクと、マイクで集音された音とテレビジョン受信機から出力される放送音声によって周辺の騒音情報を検出する騒音検出装置を備えるテレビジョン受信機が開示されている。このテレビジョン受信機は、さらにテレビジョン受信機周辺を撮影するカメラからの情報で視聴者状況を検出し、騒音情報と視聴者状況に基づいて騒音を抑制する抑制音を生成して放送音声に重畳し、スピーカから出力する機能を備えている。
【先行技術文献】
【特許文献】
【０００６】
【特許文献１】特開２０１３−５２０８号公報
【特許文献２】特開２０１０−２６８２８４号公報
【発明の概要】
【発明が解決しようとする課題】
【０００７】
しかしながら、特許文献１，２に記載の技術では、騒音を検出し処理回路に入力するためにマイクまたは集音センサが必要になるため、従来そのような部品を必要としないテレビジョン受信機としては部品コストが高くなるという問題があった。
【０００８】
特許文献１，２に記載の技術のように、騒音のレベルなどを検出することで種々の種類または大きさの騒音に対応できる可能性はあるが、家庭内で発生しテレビジョン受信機の視聴に邪魔になるような騒音はそれほどたくさんの種類はない。また、衝撃音など単発的な騒音に対しては音量を変化させるなどの対応をする必要はないため、主に連続的に発生する騒音に対象を絞ることによってテレビジョン受信機およびリモコンなどの部品コストを安価に抑えることが必要となる。
【０００９】
そこで、本発明は、安価で、かつ、空調装置の運転状態に応じて自動で視聴時の音量を調整することが可能なテレビジョン受信機を提供することを目的とする。
【課題を解決するための手段】
【００１０】
本発明に係るテレビジョン受信機は、空調装置と通信可能なテレビジョン受信機であって、前記空調装置の運転状態を示す運転情報を受信する受信部と、前記受信部が受信した前記運転情報に示される前記空調装置の運転状態に応じて、視聴時の音量を制御する制御部とを備えるものである。
【発明の効果】
【００１１】
本発明によれば、テレビジョン受信機は、空調装置の運転状態を示す運転情報を受信する受信部と、受信部が受信した運転情報に示される空調装置の運転状態に応じて、視聴時の音量を制御する制御部とを備えるため、空調装置の運転状態に応じて自動で視聴時の音量を調整することができる。
【００１２】
また、テレビジョン受信機は、視聴時の音量を制御するに際して空調装置の運転状態を示す運転情報を用いることで、騒音の大きさを検出するための種々のセンサを備える必要がない。このため、テレビジョン受信機の部品コストを安価に抑えることができる。
【図面の簡単な説明】
【００１３】
【図１】実施の形態１に係るテレビジョン受信機と空調装置との通信を示す概略図である。
【図２】テレビジョン受信機の音声出力に係る概略ブロック図である。
【図３】テレビジョン受信機の音量制御のフローチャートである。
【図４】空調装置の送風強度とテレビジョン受信機の音量調整値との対応表の一例を図示した図である。
【図５】空調装置の消費電力とテレビジョン受信機の音量調整値との対応表の一例を図示した図である。
【図６】実施の形態２に係るテレビジョン受信機と空調装置との通信を示す概略図である。
【発明を実施するための形態】
【００１４】
＜実施の形態１＞
本発明の実施の形態１について、図面を用いて以下に説明する。図１は、実施の形態１に係るテレビジョン受信機２とエアコン１（空調装置）との通信を示す概略図であり、図２は、テレビジョン受信機２の音声出力に係る概略ブロック図である。
【００１５】
図１に示すように、エアコン１とテレビジョン受信機２は、ハブ３を介したインターネット回線４，５を使用して接続されており、エアコン１とテレビジョン受信機２との間の通信は、インターネット回線４，５を使用して行われる。
【００１６】
次に、テレビジョン受信機２の音声出力に係る構成について説明する。図２に示すように、テレビジョン受信機２は、チューナ部１２と、復調部１３と、音声処理部１４と、ＣＰＵ１５（制御部）と、音声出力部１６と、入力部１７と、記憶部１８と、受信部１９とを備えている。なお、テレビジョン受信機２は、これら構成の他に、テレビジョン受信機の映像出力に係る機能などの基本的な機能を実現するための構成を備えているが、周知の一般的な構成と同様であるため説明を省略する。
【００１７】
チューナ部１２は、外部のアンテナ１１に接続され、アンテナ１１からの放送波を受信する。復調部１３は、チューナ部１２が受信した放送波から放送映像信号と放送音声信号を復調する。音声処理部１４は、復調部１３が復調した放送音声信号をＣＰＵ１５からの制御によって音量などを変化させ、スピーカ等の音声出力部１６へ出力する。
【００１８】
受信部１９はＥＴＨＥＲＮＥＴ（登録商標）の端子を備え、ＥＴＨＥＲＮＥＴ（登録商標）の端子にインターネット回線５（図１参照）が接続されている。また、エアコン１も、インターネット回線４が接続されるためのＥＴＨＥＲＮＥＴ（登録商標）の端子を備えている。受信部１９は、エアコン１からエアコン１の運転状態を示す運転情報を受信し、運転情報をＣＰＵ１５へ送る。
【００１９】
記憶部１８は、例えばＲＡＭなどであり、後述の対応表を予め記憶している。入力部１７は、テレビジョン受信機２の本体ボタンまたはテレビジョン受信機２のリモコン受信部に相当する。記憶部１８に記憶されている対応表の数値は変更可能であり、ユーザは入力部１７を操作することで、記憶部１８に記憶されている対応表の数値をＣＰＵ１５を介して変更することができる。ＣＰＵ１５は、受信部１９から送られた運転情報と記憶部１８の対応表に基づいて視聴時の音量を制御し、音声出力部１６に音声を出力させる。音声出力部１６は、例えばスピーカなどである。
【００２０】
次に、図３と図４を用いて、テレビジョン受信機２の音量制御について説明する。図３は、テレビジョン受信機２の音量制御のフローチャートであり、図４は、エアコン１の送風強度とテレビジョン受信機２の音量調整値との対応表の一例を図示した図である。
【００２１】
テレビジョン受信機２の電源をオンした場合に、ＣＰＵ１５はテレビジョン受信機２の音量制御を開始する。エアコン１は、運転オン時に設定温度と現在温度の差を検出し、運転状態を常時制御しており、運転状態が変わったときに運転状態を示す運転情報をインターネット回線４へ送信する。ここで、運転状態とはエアコン１の送風強度である。
【００２２】
テレビジョン受信機２は、インターネット回線４、ハブ３およびインターネット回線５を介してエアコン１と接続されているため、エアコン１が送信した運転情報を受信する。例えば、地上デジタル放送で使用されている双方向通信用のインターネット回線を使用することによって、通信のために新たな回路または部品を追加する必要がなくなるというメリットがある。
【００２３】
また、インターネット回線の代わりに、ＨＥＭＳ（ＨＯＭＥ  ＥＮＥＲＧＹ  ＭＡＮＡＧＥＭＥＮＴ  ＳＹＳＴＥＭ）で使用する宅内の回線を使用することも可能である。宅内の回線を使用して運転情報を送信した場合、ＨＥＭＳの宅内コントロールユニットが各機器の情報を制御し、宅内の回線に接続されているテレビジョン受信機２が運転情報を受信する。
【００２４】
テレビジョン受信機２がエアコン１の運転状態を示す運転情報を受信したかどうか、すなわち、ＣＰＵ１５は、受信部１９がエアコン１の運転情報を受信したかどうかを判定する（ステップＳ１）。ＣＰＵ１５は、受信部１９がエアコン１の運転情報を受信するまでステップＳ１の処理を実行する（ステップＳ１においてＮＯ）。
【００２５】
ＣＰＵ１５は、受信部１９がエアコン１の運転情報を受信したと判定した場合（ステップＳ１においてＹＥＳ）、受信した運転情報に示されるエアコン１の運転状態から、記憶部１８に記憶されている対応表に基づいて、音量調整値を決定する（ステップＳ２）。ＣＰＵ１５は、決定した音量調整値に従って視聴時の音量を調整し（ステップＳ３）、音量制御を終了する。
【００２６】
図４に示すように、対応表は、エアコン１の送風強度と、視聴時の音量を調整するための音量調整値とを対応付けた表である。例えば、エアコン１の送風強度が「強」の場合、ＣＰＵ１５はテレビジョン受信機２の音量を７ステップ大きくするように制御する。エアコン１の送風強度が「中」の場合、ＣＰＵ１５はテレビジョン受信機２の音量を４ステップ大きくするように制御する。送風強度が「弱」の場合、ＣＰＵ１５はテレビジョン受信機２の音量を２ステップ大きくするように制御し、エアコン１が「切」の場合は音量を調整しない。
【００２７】
対応表は、テレビジョン受信機２の音量調整値を初期的に記憶部１８に記憶しているものであり、音量調整値はテレビジョン受信機ごとに異なるため、初期値として工場出荷段階で設定されている。また、ユーザは、入力部１７を用いて音量調整値を任意に変更することで、家庭で使用しているエアコン１の動作音の大きさ、または視聴している位置とエアコン１およびテレビジョン受信機２の位置関係に応じて、音量調整値を最適に再設定することができる。
【００２８】
以上のように、実施の形態１に係るテレビジョン受信機２は、エアコン１の運転状態を示す運転情報を受信する受信部１９と、受信部１９が受信した運転情報に示されるエアコン１の運転状態に応じて、視聴時の音量を制御するＣＰＵ１５とを備えるため、エアコン１の運転状態に応じて自動で視聴時の音量を調整することができる。
【００２９】
また、テレビジョン受信機２は、視聴時の音量を制御するに際してエアコン１の運転状態を示す運転情報を用いることで、騒音の大きさを検出するための種々のセンサを備える必要がない。このため、テレビジョン受信機２の部品コストを安価に抑えることができる。
【００３０】
音量制御の対象とする騒音をエアコン１から発生する騒音に限定することで、構成を簡単化することができるため、音量制御に際して誤動作が少なくなるという効果がある。
【００３１】
エアコン１の運転状態とは、当該エアコン１の送風強度であるため、エアコン１から発生する騒音の大きさに応じて視聴時の音量を調整することができる。
【００３２】
また、エアコン１の運転状態は、エアコン１の送風強度ではなく、例えば図５に示すエアコン１の消費電力であってもよい。ここで、図５は、エアコン１の消費電力とテレビジョン受信機２の音量調整値との対応表の一例を図示した図である。エアコン１の運転状態が当該エアコン１の消費電力である場合は、エアコン１のメーカが異なっても共通のパラメータとして使用できる消費電力の数値を用いることで、対応表の共用化を図ることができる。
【００３３】
エアコン１とテレビジョン受信機２との通信は、インターネット回線４，５が使用される。例えば、地上デジタル放送で使用されている双方向通信用のインターネット回線を使用することで、通信のために新たな回路または部品を追加する必要がなくなり、テレビジョン受信機２の部品コストを一層安価に抑えることができる。
【００３４】
エアコン１の運転状態と、視聴時の音量を調整するための音量調整値とを対応付けた対応表を記憶する記憶部１８をさらに備え、対応表は変更可能に記憶される。したがって、ユーザは、家庭で使用しているエアコン１の動作音の大きさ、または視聴している位置とエアコン１およびテレビジョン受信機２の位置関係に応じて、音量調整値を最適に再設定することができる。
【００３５】
＜実施の形態２＞
次に、実施の形態２に係るテレビジョン受信機２について説明する。図６は、実施の形態２に係るテレビジョン受信機２とエアコン１との通信を示す概略図である。なお、実施の形態２において、実施の形態１で説明したものと同一の構成要素については同一符号を付して説明は省略する。
【００３６】
実施の形態２では、図６に示すように、エアコン１とテレビジョン受信機２との間で無線を使用して通信を行う。無線通信として、従来から使用されているＲＦ無線を使用した通信または、近年スマートフォンなどで利用されているＢｌｕｅｔｏｏｔｈ（登録商標）を使用した通信が採用される。なお、ＲＦ無線およびＢｌｕｅｔｏｏｔｈ（登録商標）以外の無線通信が採用されてもよい。
【００３７】
エアコン１とテレビジョン受信機２との間で無線通信を行う場合は、エアコン１とテレビジョン受信機２の双方に無線通信用のモジュールを内蔵する必要があり、製品の価格が高くなるという懸念がある。しかし、最近のテレビジョン受信機はスマートフォンまたは携帯音楽プレーヤなどの音楽を再生しそれをテレビジョン受信機のスピーカで聞くことができるように、Ｂｌｕｅｔｏｏｔｈ（登録商標）の通信モジュールを搭載したものが既に市場にある。このため、このようなテレビジョン受信機を採用することで、別の部品を追加することが避けられ、製品価格に影響しない。
【００３８】
以上のように、実施の形態２に係るテレビジョン受信機２では、エアコン１とテレビジョン受信機２との通信は、無線が使用されるため、エアコン１とテレビジョン受信機２の設置位置を有線の場合と比べて自由に決めることができる。
【００３９】
無線はＢｌｕｅｔｏｏｔｈ（登録商標）であるため、Ｂｌｕｅｔｏｏｔｈ（登録商標）の通信モジュールを搭載したテレビジョン受信機を採用することで、通信のために新たな回路または部品を追加する必要がなくなり、テレビジョン受信機２の部品コストを一層安価に抑えることができる。
【００４０】
なお、本発明は、その発明の範囲内において、各実施の形態を自由に組み合わせたり、各実施の形態を適宜、変形、省略することが可能である。
【符号の説明】
【００４１】
１  エアコン、２  テレビジョン受信機、１５  ＣＰＵ、１８  記憶部、１９  受信部。
【図１】
2015179921.tif 000003
【図２】
2015179921.tif 000004
【図３】
2015179921.tif 000005
【図４】
2015179921.tif 000006
【図５】
2015179921.tif 000007
【図６】
2015179921.tif 000008